(57)【要約】【課題】生産性の向上と製造コストの低減を図ることができる携帯端末用アンテナを提供する。【解決手段】第１の筒状アンテナエレメント２１と、第１の筒状アンテナエレメント２１に出没可能に内装される第２の筒状アンテナエレメント２２を有し、第２の筒状アンテナエレメント２２の上端近傍に上側抜止部２２２、第１の筒状アンテナエレメント２１の下端に下側抜止部２１３が設けられ、上側抜止部２２２の下側の第２の筒状アンテナエレメント２２の周囲に、第１の筒状アンテナエレメント２１の内周面と第２の筒状アンテナエレメント２２の外周面に接触する接触バネ２２４が設けられ、接触バネ２２４が上側抜止部２２２と下側抜止部２１３との間の第２の筒状アンテナエレメント２２に沿って移動自在とされる携帯端末用アンテナ１。【選択図】図５
2014027582.tif 000002
【特許請求の範囲】
【請求項１】
上段の筒状アンテナエレメントと、前記上段の筒状アンテナエレメントに出没可能に内装される下段のアンテナエレメントを有するアンテナエレメント部と、
前記アンテナエレメント部を保持する保持部と、
前記保持部の下側に設けられ、筐体に取り付けられるホルダーの接触部と接触する接触導通部とを備え、
前記下段のアンテナエレメントの上端近傍に上側抜止部、前記上段の筒状アンテナエレメントの下端に下側抜止部が設けられ、
前記上側抜止部の下側の前記下段のアンテナエレメントの周囲に、前記上段の筒状アンテナエレメントの内周面と前記下段のアンテナエレメントの外周面に接触する接触バネが設けられ、
前記接触バネが前記上側抜止部と前記下側抜止部との間の前記下段のアンテナエレメントに沿って移動自在とされる
ことを特徴とする携帯端末用アンテナ。
【請求項２】
上側の筒状アンテナエレメントに下側の筒状アンテナエレメントが出没可能に内装される複数の筒状アンテナエレメントと、最下部の筒状アンテナエレメントに出没可能に内装される棒状アンテナエレメントとからアンテナエレメント部が構成され、
前記上側の筒状アンテナエレメントと前記下側の筒状アンテナエレメントが、前記上段の筒状アンテナエレメントと前記下段のアンテナエレメントの構成である
ことを特徴とする請求項１記載の携帯端末用アンテナ。
【請求項３】
前記下段のアンテナエレメントに設けられる前記接触バネが一体的に形成された略円筒状の筒体であり、
前記筒体の軸方向における略中間部に、軸方向に延びるスリットが周方向に所定間隔を開けて複数形成され、
前記スリット間に外側へ凸のバネ部と内側に凸のバネ部が交互に形成されている
ことを特徴とする請求項１又は２記載の携帯端末用アンテナ。
【請求項４】
上側の筒状アンテナエレメントに下側の筒状アンテナエレメントが出没可能に内装される複数の筒状アンテナエレメントと、最下部の筒状アンテナエレメントに出没可能に内装される棒状アンテナエレメントとからアンテナエレメント部が構成され、
前記上側の筒状アンテナエレメントと前記下側の筒状アンテナエレメントが、前記上段の筒状アンテナエレメントと前記下段のアンテナエレメントの構成であると共に、
前記最下部の筒状アンテナエレメントと前記棒状アンテナエレメントが、前記上段の筒状アンテナエレメントと前記下段のアンテナエレメントの構成である
ことを特徴とする請求項１〜３の何れかに記載の携帯端末用アンテナ。
【請求項５】
請求項１〜４の何れかに記載の携帯端末用アンテナを備えることを特徴とする携帯端末。
【発明の詳細な説明】
【技術分野】
【０００１】
本発明は、多機能携帯電話等の携帯端末に用いられる携帯端末用アンテナ及びこの携帯端末用アンテナを備える携帯端末に関する。
【背景技術】
【０００２】
従来、携帯端末用アンテナとして、多段の筒状アンテナエレメントと棒状アンテナエレメントが出没可能に設けられる直線状のアンテナエレメント部と、アンテナエレメント部を保持する保持部と、保持部の下側に設けられる接触導通部を有するものが知られている。
【０００３】
この携帯端末用アンテナでは、上段の筒状アンテナエレメント内に収納される下段の筒状アンテナエレメントの上端近傍の周囲に、接触バネが係合突起と係合孔の係合で定置して設けられ、筒状アンテナエレメント内に収納される棒状アンテナエレメントの上端近傍の周囲に、接触バネが拡径部とスリーブの上端との間でスリーブへの嵌込で定置して設けられている。そして、アンテナの伸長動作時や収納動作時に、下段の筒状アンテナエレメントの上端近傍の接触バネが上段の筒状アンテナエレメントの内周面に接触しながら摺動し、棒状アンテナエレメントの上端近傍の接触バネが筒状アンテナエレメントの内周面に接触しながら摺動するようになっている（特許文献１参照）。
【先行技術文献】
【特許文献】
【０００４】
【特許文献１】特開２０１０−３５０６７号公報
【発明の概要】
【発明が解決しようとする課題】
【０００５】
ところで、上記のようにアンテナエレメントの上端近傍の周囲に接触バネを定置して設ける場合、上記係合突起と係合孔の係合、スリーブの嵌込の他、アンテナエレメントの上端近傍の周囲に外側に突出する周状の上側突起と周状の下側突起をそれぞれ設け、上側突起と下側突起の間に接触バネを配置し、上側突起と下側突起で接触バネの上下方向の移動を規制して定置することも考えられる。
【０００６】
このような上側突起と下側突起の間に接触バネを配置する例を図６に示す。図６の例では、下端に内方に屈曲して突出する縮径部８１１を有する第１の筒状アンテナエレメント８１と、第１の筒状アンテナエレメント８１に出没可能に内装される第２の筒状アンテナエレメント８２と、第２の筒状アンテナエレメント８２に出没可能に内装される第３の筒状アンテナエレメント８３を備える。
【０００７】
第２の筒状アンテナエレメント８２の上端近傍の周囲には、外側に突出する周状の上側突起８２１と周状の下側突起８２２がそれぞれ設けられ、上側突起８２１と下側突起８２２の間に外側に湾曲する接触バネ８２３が配置されている。接触バネ８２３は、上側突起８２１と下側突起８２２で上下方向の移動を規制され、第２の筒状アンテナエレメント８２の上端近傍に定置した状態のまま、第１の筒状アンテナエレメント８１の内周面に接触しながら摺動するようになっている。
【０００８】
第３の筒状アンテナエレメント８３の上端近傍の周囲には、外側に突出する周状の上側突起８３１と周状の下側突起８３２がそれぞれ設けられ、上側突起８３１と下側突起８３２の間に外側に湾曲する接触バネ８３３が配置されている。接触バネ８３３は、上側突起８３１と下側突起８３２で上下方向の移動を規制され、第３の筒状アンテナエレメント８３の上端近傍に定置した状態のまま、第２の筒状アンテナエレメント８２の内周面に接触しながら摺動するようになっている。
【０００９】
しかしながら、上記のような下段のアンテナエレメントの上端近傍に定置した接触バネを上段の筒状アンテナエレメントの内周面に接触させて摺動する構成では、上段の筒状アンテナエレメントの内周面が非常に滑らかなものである必要がある。そのため、上段の筒状アンテナエレメントに非常に高度な加工が必要になり、生産性に劣り、製造コストが高くなるという問題がある。また、下段のアンテナエレメントにおいては、周状の下側突起８２２、８３２を内側から外側に突出する加工や、接触バネの係合突起と筒状アンテナエレメントに係合孔を形成する加工や、拡径部とスリーブの上端との間に接触バネを嵌め込む加工も、それぞれ非常に高度な加工が必要になるため、かかる点からも、生産性に劣り、製造コストが高くなるという問題がある。
【００１０】
本発明は上記課題に鑑み提案するものであり、上段の筒状アンテナエレメントに下段のアンテナエレメントが出没可能に内装される携帯端末用アンテナにおいて、生産性の向上と製造コストの低減を図ることができる携帯端末用アンテナ、及びその携帯端末用アンテナを備える携帯端末を提供することを目的とする。
【課題を解決するための手段】
【００１１】
本発明の携帯端末用アンテナは、上段の筒状アンテナエレメントと、前記上段の筒状アンテナエレメントに出没可能に内装される下段のアンテナエレメントを有するアンテナエレメント部と、前記アンテナエレメント部を保持する保持部と、前記保持部の下側に設けられ、筐体に取り付けられるホルダーの接触部と接触する接触導通部とを備え、前記下段のアンテナエレメントの上端近傍に上側抜止部、前記上段の筒状アンテナエレメントの下端に下側抜止部が設けられ、前記上側抜止部の下側の前記下段のアンテナエレメントの周囲に、前記上段の筒状アンテナエレメントの内周面と前記下段のアンテナエレメントの外周面に接触する接触バネが設けられ、前記接触バネが前記上側抜止部と前記下側抜止部との間の前記下段のアンテナエレメントに沿って移動自在とされることを特徴とする。
この構成によれば、下段のアンテナエレメントの接触バネが上段の筒状アンテナエレメントの内周面と前記下段のアンテナエレメントの外周面のいずれか滑らかな方の面或いは双方の面を摺動することになり、非常に高度な加工を施して滑らかな内周面を有する上段の筒状アンテナエレメントを得ることが不要となる。従って、生産性の向上と製造コストの低減を図ることができる。また、下段のアンテナエレメントについても、周状の下側突起を内側から外側に突出する加工、接触バネの係合突起と筒状アンテナエレメントに係合孔を形成する加工、或いは拡径部と別部材のスリーブの上端との間に接触バネを嵌め込む加工等の非常に高度な加工が不要となるため、かかる点からも、生産性の向上と製造コストの低減を図ることができる。
【００１２】
本発明の携帯端末用アンテナは、上側の筒状アンテナエレメントに下側の筒状アンテナエレメントが出没可能に内装される複数の筒状アンテナエレメントと、最下部の筒状アンテナエレメントに出没可能に内装される棒状アンテナエレメントとからアンテナエレメント部が構成され、前記上側の筒状アンテナエレメントと前記下側の筒状アンテナエレメントが、前記上段の筒状アンテナエレメントと前記下段のアンテナエレメントの構成であることを特徴とする。
この構成によれば、複数の筒状アンテナエレメントと棒状アンテナエレメントから構成されるアンテナエレメント部を有する携帯端末用アンテナにおいて、例えば２個、３個、４個、５個、６個など複数の筒状アンテナエレメントの各々について、生産性の向上と製造コストの低減を図ることができる。更に、３段以上のアンテナエレメントが設けられる構成では、上段の筒状アンテナエレメントの周状の下側突起の内側に周状の凹溝が形成される場合に、下段のアンテナエレメントの接触バネが凹溝を摺動して通過する際の摺動感覚の違和感を無くすことができる。
【００１３】
本発明の携帯端末用アンテナは、前記下段のアンテナエレメントに設けられる前記接触バネが一体的に形成された略円筒状の筒体であり、前記筒体の軸方向における略中間部に、軸方向に延びるスリットが周方向に所定間隔を開けて複数形成され、前記スリット間に外側へ凸のバネ部と内側に凸のバネ部が交互に形成されていることを特徴とする。
この構成によれば、上段の筒状アンテナエレメントの内周面と下段のアンテナエレメントの外周面にバランス良く接触する接触バネとすることができ、上段の筒状アンテナエレメントと下段のアンテナエレメントの良好で安定した導通性を確保することができると共に、上段の筒状アンテナエレメントと下段のアンテナエレメントの双方に対して、高い安定性でスムーズに接触バネを摺動させることができる。
【００１４】
本発明の携帯端末用アンテナは、上側の筒状アンテナエレメントに下側の筒状アンテナエレメントが出没可能に内装される複数の筒状アンテナエレメントと、最下部の筒状アンテナエレメントに出没可能に内装される棒状アンテナエレメントとからアンテナエレメント部が構成され、前記上側の筒状アンテナエレメントと前記下側の筒状アンテナエレメントが、前記上段の筒状アンテナエレメントと前記下段のアンテナエレメントの構成であると共に、前記最下部の筒状アンテナエレメントと前記棒状アンテナエレメントが、前記上段の筒状アンテナエレメントと前記下段のアンテナエレメントの構成であることを特徴とする。
この構成によれば、複数の筒状アンテナエレメントと棒状アンテナエレメントから構成されるアンテナエレメント部を有する携帯端末用アンテナにおいて、複数の筒状アンテナエレメントと棒状アンテナエレメントの全てについて、生産性の向上と製造コストの低減を図ることができる。更に、３段以上のアンテナエレメントが設けられる構成では、上段の筒状アンテナエレメントの周状の下側突起の内側に周状の凹溝が形成される場合に、下段のアンテナエレメントの接触バネが凹溝を摺動して通過する際の摺動感覚の違和感を無くすことができる。
【００１５】
本発明の携帯端末は、本発明の携帯端末用アンテナを備えることを特徴とする。
この構成によれば、本発明の携帯端末用アンテナの効果を有する携帯端末を得ることができる。
【発明の効果】
【００１６】
本発明によれば、上段の筒状アンテナエレメントに下段のアンテナエレメントが出没可能に内装される携帯端末用アンテナにおいて、生産性の向上と製造コストの低減を図ることができる。
【図面の簡単な説明】
【００１７】
【図１】（ａ）は本発明による実施形態の携帯端末用アンテナの伸長状態を示す斜視図、（ｂ）はその収納状態を示す斜視図。
【図２】（ａ）〜（ｄ）は実施形態の携帯端末用アンテナの伸長状態の各部を示す縦断面図。
【図３】実施形態の携帯端末用アンテナの収納状態を示す縦断面図。
【図４】（ａ）は筒状アンテナエレメントの上端近傍の接触バネを示す斜視図、（ｂ）はその正面図、（ｃ）はそのＡ−Ａ線断面図。
【図５】第１の筒状アンテナエレメント内での第２の筒状アンテナエレメントの接触バネの浮動状態を説明する断面説明図。
【図６】上側突起と下側突起の間に接触バネを定置する携帯端末用アンテナの例を示す部分断面図。
【発明を実施するための形態】
【００１８】
〔実施形態の携帯端末用アンテナ〕
本実施形態の携帯端末用アンテナ１は、例えばスマートフォン（登録商標）など多機能携帯電話等の携帯端末に地上デジタルテレビ放送を受信する等のために設置されるアンテナであり、図１〜図３に示すように、伸縮可能なアンテナエレメント部２と、アンテナエレメント部２を保持する保持部３と、保持部３の下側に設けられ、筐体に取り付けられるホルダー１０の接触部であるバネ部１１と接触する接触導通部４とを備える。
【００１９】
アンテナエレメント部２は、先端側に設けられる最上部の導通性の第１の筒状アンテナエレメント２１と、第１の筒状アンテナエレメント２１内に収納されるようにして出没可能に設けられる導通性の第２の筒状アンテナエレメント２２と、第２の筒状アンテナエレメント２２内に収納されるようにして出没可能に設けられる導通性の第３の筒状アンテナエレメント２３と、第３の筒状アンテナエレメント２３内に収納されるようにして出没可能に設けられる導通性の第４の筒状アンテナエレメント２４と、第４の筒状アンテナエレメント２４内に収納されるようにして出没可能に設けられる導通性の第５の筒状アンテナエレメント２５と、第５の筒状アンテナエレメント２５内に収納されるようにして出没可能に設けられる導通性の棒状アンテナエレメント２６とから構成される。即ち、第２〜第５の筒状アンテナエレメント２２、２３、２４、２５と棒状アンテナエレメント２６は、それぞれ上段の筒状アンテナエレメント内に収納されるようにして出没可能に設けられる。
【００２０】
第１の筒状アンテナエレメント２１は、円筒状の基部２１１と、基部２１１の上側に設けられ、基部２１１よりも大径に形成されている円筒状の拡径部２１２と、基部２１１の下端で略直角に内側に屈曲して形成されている下側抜止部２１３を有する。第１の筒状アンテナエレメント２１の上端近傍に設けられている拡径部２１２は、アンテナ収納状態において、後述するホルダー１０のスリット１２・１２間で内側に凸となるように湾曲しているバネ部１１と接触する。
【００２１】
第１の筒状アンテナエレメント２１の先端には、樹脂キャップ５が嵌め込まれており、樹脂キャップ５は、拡径部２１２の径と肉厚に対応して形成されている環状溝５１に拡径部２１２が嵌合され、中央の内装部５２を拡径部２１２に入り込ませるようにして、第１の筒状アンテナエレメント２１に嵌め込まれている。
【００２２】
第２の筒状アンテナエレメント２２は、第１の筒状アンテナエレメント２１の基部２１１よりも小径の円筒状の基部２２１と、その上端近傍の上側抜止部として、基部２２１の上端を拡径して形成されている上側抜止部２２２と、基部２２１の下端で略直角に内側に屈曲して形成されている下側抜止部２２３を有し、第２の筒状アンテナエレメント２２の周囲に設けられる接触バネとして、上側抜止部２２２の下側において基部２２１の周囲に接触バネ２２４が設けられている。
【００２３】
接触バネ２２４は、図４に示すように、導通性の素材で一体的に形成された略円筒状の筒体６１であり、筒体６１の軸方向における略中間部に、軸方向に延びるスリット６２が周方向に所定間隔を開けて複数形成され、スリット６２・６２間に外側へ凸のバネ部６３と内側に凸のバネ部６４が交互に形成されている。尚、後述する接触バネ２３４、２４４、２５４、２６３も、筒体６１にスリット６２が形成され、スリット６２・６２間に外側へ凸のバネ部６３と内側に凸のバネ部６４が交互に形成された同一構成である。
【００２４】
接触バネ２２４は、第２の筒状アンテナエレメント２２の上側抜止部２２２と第１の筒状アンテナエレメント２１の下側抜止部２１３との間において、第２の筒状アンテナエレメント２２に沿って移動自在に設けられており、接触バネ２２４は、定置されずに浮動して、外側へ凸で湾曲するバネ部６３で第１の筒状アンテナエレメント２１の内周面に接触、摺動し、内側へ凸で湾曲するバネ部６４で第２の筒状アンテナエレメント２２の外周面に接触、摺動する。
【００２５】
第３の筒状アンテナエレメント２３は、第２の筒状アンテナエレメント２２の基部２２１よりも小径の円筒状の基部２３１と、その上端近傍の上側抜止部として、基部２３１の上端を拡径して形成されている上側抜止部２３２と、基部２３１の下端で略直角に内側に屈曲して形成されている下側抜止部２３３を有し、第３の筒状アンテナエレメント２３の周囲に設けられる接触バネとして、上側抜止部２３２の下側において基部２３１の周囲に接触バネ２３４が設けられている。
【００２６】
接触バネ２３４は、第３の筒状アンテナエレメント２３の上側抜止部２３２と第２の筒状アンテナエレメント２２の下側抜止部２２３との間において、第３の筒状アンテナエレメント２３に沿って移動自在に設けられており、定置されずに浮動して、外側へ凸で湾曲するバネ部６３で第２の筒状アンテナエレメント２２の内周面に接触、摺動し、内側へ凸で湾曲するバネ部６４で第３の筒状アンテナエレメント２３の外周面に接触、摺動する。
【００２７】
第４の筒状アンテナエレメント２４は、第３の筒状アンテナエレメント２３の基部２３１よりも小径の円筒状の基部２４１と、その上端近傍の上側抜止部として、基部２４１の上端を拡径して形成されている上側抜止部２４２と、基部２４１の下端で略直角に内側に屈曲して形成されている下側抜止部２４３を有し、第４の筒状アンテナエレメント２４の周囲に設けられる接触バネとして、上側抜止部２４２の下側において基部２４１の周囲に接触バネ２４４が設けられている。
【００２８】
接触バネ２４４は、第４の筒状アンテナエレメント２４の上側抜止部２４２と第３の筒状アンテナエレメント２３の下側抜止部２３３との間において、第４の筒状アンテナエレメント２４に沿って移動自在に設けられており、定置されずに浮動して、外側へ凸で湾曲するバネ部６３で第３の筒状アンテナエレメント２３の内周面に接触、摺動し、内側へ凸で湾曲するバネ部６４で第４の筒状アンテナエレメント２４の外周面に接触、摺動する。
【００２９】
第５の筒状アンテナエレメント２５は、第４の筒状アンテナエレメント２４の基部２４１よりも小径の円筒状の基部２５１と、その上端近傍の上側抜止部として、基部２５１の上端を拡径して形成されている上側抜止部２５２と、基部２５１の下端で略直角に内側に屈曲して形成されている下側抜止部２５３を有し、第５の筒状アンテナエレメント２５の周囲に設けられる接触バネとして、上側抜止部２５２の下側において基部２５１の周囲に接触バネ２５４が設けられている。
【００３０】
接触バネ２５４は、第５の筒状アンテナエレメント２５の上側抜止部２５２と第４の筒状アンテナエレメント２４の下側抜止部２４３との間において、第５の筒状アンテナエレメント２５に沿って移動自在に設けられており、定置されずに浮動して、外側へ凸で湾曲するバネ部６３で第４の筒状アンテナエレメント２４の内周面に接触、摺動し、内側へ凸で湾曲するバネ部６４で第５の筒状アンテナエレメント２５の外周面に接触、摺動する。
【００３１】
棒状アンテナエレメント２６は、第５の筒状アンテナエレメント２５の基部２５１よりも小径の基部２６１と、その上端近傍の上側抜止部として、基部２６１の上端に基部２６１よりも大径で形成されている略球形の上側抜止部２６２を有し、棒状アンテナエレメント２６の周囲に設けられる接触バネとして、上側抜止部２６２の下側において基部２６１の周囲に接触バネ２６３が設けられている。
【００３２】
接触バネ２６３は、棒状アンテナエレメント２６の上側抜止部２６２と第５の筒状アンテナエレメント２５の下側抜止部２５３との間において、棒状アンテナエレメント２６に沿って移動自在に設けられており、定置されずに浮動して、外側へ凸で湾曲するバネ部６３で第５の筒状アンテナエレメント２５の内周面に接触、摺動し、内側へ凸で湾曲するバネ部６４で棒状アンテナエレメント２６の外周面に接触、摺動する。
【００３３】
保持部３は、図２に示すように、棒状アンテナエレメント２６の下端部が嵌め込まれる基体３１と、基体３１の下端部に形成されている略弧状の板状部３２とを有し、板状部３２の下端面外周には凹部と凸部で構成される係合溝３３が複数形成されている。また、接触導通部４は、略筒形の本体４１を有し、本体３１の上端部は二股に分かれた板状部４２・４２になっており、板状部４２・４２は保持部３の板状部３２の両側にそれぞれ配置される。
【００３４】
本体４１の板状部４２・４２及び保持部３の板状部３２の略中央には孔が形成され、前記孔にピン等を挿入することにより軸支部４３とされており、軸支部４３で保持部３が接触導通部４に軸支されている。保持部３は、軸支部４３を中心に可動して接触導通部４に屈曲可能に支持されると共に、軸支部４３で接触導通部４と保持部３及びこれに棒状アンテナエレメント２２が嵌め込まれているアンテナエレメント部２とが導通される。
【００３５】
また、接触導通部４の内部には、本体４１内の上端近傍に配置される球体等である係止体４４と、本体４１内に配置されて係止体４４を上方に付勢するコイルバネである弾性材４５とが設けられている。係止体４４は弾性材４５で接触導通部４の上方に付勢され、球体の球面など係止体４４の係合面が板状部３２の係合溝３３に係脱可能に係合される。この係合により、アンテナエレメント部２を所定の方向で定置することが可能になっていると共に、アンテナエレメント部２を軸支部４３を中心に回転し、係止体４４を弾性材４５の弾性力に抗して押し下げ係合溝３３の係合から外してアンテナエレメント部２を所定の方向に調整し、調整後の方向に対応する係合溝３３に係止体４４を係合して定置することが可能になっている。
【００３６】
接触導通部４の下端には、本体４１よりも大径のストッパー４６が形成されており、ストッパー４６がホルダー１０の円筒部１３の下端で係止することにより、円筒部１３に内装されて摺動する接触導通部４がアンテナ先端側に離脱することが防止されている。
【００３７】
ホルダー１０は、円筒部１３と、円筒部１３の上端から外周方向に鍔状に突出形成されている取付板１４とを有する。円筒部１３の軸方向の略中間部には、軸方向に延びるスリット１２が周方向に所定間隔を開けて複数形成され、スリット１２・１２間に内側に凸となるように湾曲しているバネ部１１が形成されており、円筒部１３内を摺動する接触導通部４の本体４１とバネ部１１が接触してホルダー１０と接触導通部４が導通するようになっている。ホルダー１０には携帯端末の筐体内の給電部（図示省略）から給電され、接触導通部４、保持部３、アンテナエレメント部２に給電されるようになっている。
【００３８】
上記実施形態の携帯端末用アンテナ１では、各接触バネ２２４、２３４、２４４、２５４、２６３が定置されずに浮動し、アンテナ伸長状態以外のアンテナ伸長動作時、アンテナ収納動作時或いはアンテナ収納状態においては、任意の位置で外側の筒状アンテナエレメントの内周面と内側のアンテナエレメントの外周面に接触し、例えば図５に示す実線或いは二点鎖線の位置において、接触バネ２２４は第１の筒状アンテナエレメント２１の内周面と第２の筒状アンテナエレメント２２の外周面に接触する。更に、アンテナ伸長動作時或いはアンテナ収納動作時において、外側の筒状アンテナエレメントの内周面と内側のアンテナエレメントの外周面の滑らかさに応じて、各接触バネ２２４、２３４、２４４、２５４、２６３は、外側の筒状アンテナエレメントの内周面、内側のアンテナエレメントの外周面或いはその双方の面を摺動する。
【００３９】
上記実施形態の携帯端末用アンテナ１によれば、非常に高度な加工を施して滑らかな内周面を有する上段の筒状アンテナエレメント２１等を得ることが不要となり、生産性の向上と製造コストの低減を図ることができる。また、下段のアンテナエレメント２２、２６等についても、周状の下側突起を内側から外側に突出する加工、接触バネの係合突起と筒状アンテナエレメントに係合孔を形成する加工、或いは拡径部と別部材のスリーブの上端との間に接触バネを嵌め込む加工等の非常に高度な加工が不要となり、かかる点からも、生産性の向上と製造コストの低減を図ることができる。特に本実施形態では、筒状アンテナエレメント２１〜２５と棒状アンテナエレメント２６の全てについて、前述の生産性の向上と製造コストの低減を図ることができる。
【００４０】
更に、上段の筒状アンテナエレメントの周状の下側突起の内側に周状の凹溝が形成される場合に、下段のアンテナエレメントの接触バネが凹溝を摺動して通過する際の摺動感覚の違和感が生ずるが、本実施形態の携帯端末用アンテナ１ではこの違和感を無くすことができる。
【００４１】
また、接触バネ２２４、２３４、２４４、２５４、２６３の外側へ凸のバネ部６３と内側に凸のバネ部６４が交互に形成されている構成により、上段の筒状アンテナエレメントの内周面と下段のアンテナエレメントの外周面にバランス良く接触する接触バネ２２４等とすることができ、上段の筒状アンテナエレメントと下段のアンテナエレメントの良好で安定した導通性を確保することができると共に、上段の筒状アンテナエレメントと下段のアンテナエレメントの双方に対して、高い安定性でスムーズに接触バネ２２４等を摺動させることができる。
【００４２】
〔実施形態の変形例等〕
本明細書開示の発明には、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記変形例も包含する。
【００４３】
例えば上記実施形態では、筒状アンテナエレメント２２〜２５、棒状アンテナエレメント２６に設けられる接触バネ２２４、２３４、２４４、２５４、２６３の全てを浮動式としたが、任意の一部の接触バネを浮動式とし、残りを筒状アンテナエレメント或いは棒状アンテナエレメントの上端近傍の周囲に定置して設けられる固定式とすることも可能である。
【００４４】
また、筒状アンテナエレメントと、この筒状アンテナエレメント内に収納されるようにして出没可能に設けられる下段のアンテナエレメントを有するアンテナエレメント部で構成されるものであれば本発明に包含され、例えばアンテナエレメント部が、筒状アンテナエレメントと、この筒状アンテナエレメント内に収納されるようにして出没可能に設けられる下段の棒状アンテナエレメントで構成される場合も含まれる。また、筒状アンテナエレメントを上記実施形態の５段以外の３段、４段、６段など適宜の複数段で設ける場合も本発明に含まれる。
【００４５】
また、保持部３と接触導通部４の構成は、接触導通部４が保持部３の下側に設けられ、筐体に取り付けられるホルダーの接触部と接触するものであれば適宜であり、例えば保持部３と接触導通部４が軸支部４３のような連結部を介さずに一体的に形成される構成や、保持部３が接触導通部４に回転機構を介さずに連結される構成等も本発明に含まれる。
【産業上の利用可能性】
【００４６】
本発明は、例えば多機能携帯電話などの携帯端末用アンテナとして利用することができる。
【符号の説明】
【００４７】
１…携帯端末用アンテナ  ２…アンテナエレメント部  ２１…第１の筒状アンテナエレメント  ２１１…基部  ２１２…拡径部  ２１３…下側抜止部  ２２…第２の筒状アンテナエレメント  ２３…第３の筒状アンテナエレメント  ２４…第４の筒状アンテナエレメント  ２５…第５の筒状アンテナエレメント  ２６…棒状アンテナエレメント  ２２１、２３１、２４１、２５１、２６１…基部  ２２２、２３２、２４２、２５２、２６２…上側抜止部  ２２３、２３３、２４３、２５３…下側抜止部  ２２４、２３４、２４４、２５４、２６３…接触バネ  ６１…筒体  ６２…スリット  ６３…バネ部  ６４…バネ部  ３…保持部  ３１…基体  ３２…板状部  ３３…係合溝  ４…接触導通部  ４１…本体  ４２…板状部  ４３…軸支部  ４４…係止体  ４５…弾性材  ４６…ストッパー  ５…樹脂キャップ  ５１…環状溝  ５２…内装部  １０…ホルダー  １１…バネ部  １２…スリット  １３…円筒部  １４…取付板  ８１…第１の筒状アンテナエレメント  ８１１…縮径部  ８２…第２の筒状アンテナエレメント  ８３…第３の筒状アンテナエレメント  ８２１、８３１…上側突起  ８２２、８３２…下側突起  ８２３、８３３…接触バネ
【図１】
2014027582.tif 000003
【図２】
2014027582.tif 000004
【図３】
2014027582.tif 000005
【図４】
2014027582.tif 000006
【図５】
2014027582.tif 000007
【図６】
2014027582.tif 000008